(57)【要約】【課題】花粉症対策として効果を高める。【解決手段】左右一対のノーズパッド１，１とこれらを支持する支持体２とを有し、左右一対のノーズパッド１，１には、鼻側の面３ａが凸となる曲面であり且つＮ極に着磁された板状磁石３が設けられている。めがねフレーム４を支持体２としている。【選択図】図１
2013041220.tif 000002
【特許請求の範囲】
【請求項１】
左右一対のノーズパッドとこれらを鼻に装着する状態に支持する支持体とを有し、前記左右一対のノーズパッドには、鼻側の面が凸となる曲面であり且つＮ極に着磁されている板状磁石が設けられていることを特徴とする鼻装着用の磁場形成器具。
【請求項２】
前記支持体はめがねフレームであることを特徴とする請求項１記載の鼻装着用の磁場形成器具。
【発明の詳細な説明】
【技術分野】
【０００１】
本発明は、鼻装着用の磁場形成器具に関する。更に詳しくは、本発明は、鼻の周囲に磁場を形成する永久磁石をノーズパッドに設けた鼻装着用の磁場形成器具に関するものである。
【背景技術】
【０００２】
花粉症対策の１つとして、めがねフレームのノーズパッドに磁力を持たせることが考えられている。なお、ノーズパッド内に永久磁石を設けた一般的な技術として、例えば特許文献１に記載されたメガネ用ノーズパッドがある。
【先行技術文献】
【特許文献】
【０００３】
【特許文献１】特開平１０−２５３９２９号公報
【発明の概要】
【発明が解決しようとする課題】
【０００４】
しかしながら、めがねフレームのノーズパッドに単に磁力を付与しても、花粉症対策として顕著な効果を期待することはできない。
本発明は、花粉症対策としての効果を高めることができる鼻装着用の磁場形成器具を提供することを目的とする。
【課題を解決するための手段】
【０００５】
本願発明者らは、花粉症対策に磁力を利用することについて鋭意研究を行った結果、Ｎ極に近い側の磁場はＳ極に近い側の磁場に比べて血流を良くし鼻孔内を乾燥させる効果が高いことを知見すると共に、Ｓ極に近い側の磁場はプラスの電荷を有する花粉を反発する効果があることを知見した。本発明はかかる知見に基づき成されたものである。
【０００６】
請求項１記載の鼻装着用の磁場形成器具は、左右一対のノーズパッドとこれらを鼻に装着する状態に支持する支持体とを有し、左右一対のノーズパッドには、鼻側の面が凸となる曲面であり且つＮ極に着磁されている板状磁石が設けられている。
また、請求項２記載の鼻装着用の磁場形成器具は、支持体がめがねフレームとなっている。
【発明の効果】
【０００７】
請求項１記載の発明では、使用者が磁場形成器具を鼻に装着すると、鼻及びその周囲に磁場が形成される。ノーズパッドに設けられた板状磁石の鼻側の面はＮ極、反対側の面はＳ極になっているので、各ノーズパッドの鼻側の面→鼻→鼻の外→各ノーズパッドの反対側の面へと向かう磁力線が形成される。ここで、Ｎ極に近い側の磁場はＳ極に近い側の磁場よりも血流を良くして鼻孔内を乾燥させる効果があることが分かっている。本発明では、Ｎ極に近い側の磁場を鼻内に形成するので、単に磁力の効果で血流を良くするだけではなく、最も効果的に血流を良くして鼻孔内を乾燥させることができる。
【０００８】
しかも、板状磁石の鼻側の面は凸となる曲面となっているので、鼻内へと向かう磁力線の方向が広がり、鼻内のより広い範囲に磁場を形成することができる。そのため、上述の磁場の効果をより広い範囲で受けることができる。
【０００９】
また、Ｓ極に近い側の磁場は、プラスの電荷を有する花粉を反発させる効果があることも分かっている。本発明では、Ｓ極に近い側の磁場を鼻の周囲に形成するので、謂わば花粉に対するバリアが鼻の周囲に形成され、鼻孔内への花粉の進入を抑制することができる。
【００１０】
つまり、鼻の血流を良くして鼻孔内の粘膜を改善する効果と、鼻の周囲に花粉に対するバリアを形成する効果とを有しており、これらの効果が相俟って花粉症対策に適している。
【００１１】
また、請求項２の発明では、めがねを利用して磁場形成器具を構成することができ、めがね使用者はわざわざ磁場形成器具を別に用意する必要がなくなり、便利である。
【図面の簡単な説明】
【００１２】
【図１】本発明の鼻装着用の磁場形成器具の第１の実施形態を示す斜視図である。
【図２】ノーズパッドの斜視図である。
【図３】板状磁石を示し、（Ａ）は平面図、（Ｂ）は正面図、（Ｃ）は側面図である。
【図４】本発明の鼻装着用の磁場形成器具の第２の実施形態を示す正面図である。
【図５】本発明の鼻装着用の磁場形成器具の第３の実施形態を示す分解図である。
【図６】本発明の鼻装着用の磁場形成器具の第４の実施形態を示し、（Ａ）は分解図、（Ｂ）は取り付けた状態の断面図である。
【発明を実施するための形態】
【００１３】
以下、本発明の構成を図面に示す形態に基づいて詳細に説明する。
【００１４】
図１〜図３に本発明の鼻装着用の磁場形成器具の第１の実施形態を示す。鼻装着用の磁場形成器具（以下、単に磁場形成器具という）は、左右一対のノーズパッド１，１とこれらを鼻に装着する状態に支持する支持体２とを有し、左右一対のノーズパッド１，１には、鼻側の面３ａが凸となる曲面であり且つＮ極に着磁されている板状磁石３が設けられている。本実施形態では磁場形成器具をめがねに組み込んでおり、めがねフレーム４を支持体２としている。
【００１５】
本実施形態では、めがねフレーム４の左右のレンズ枠部４ａ，４ａに取付金具５がそれぞれ設けられており、各ノーズパッド１の取付凸部１ａを取付金具５の先端に嵌め込んでねじ止めすることで、各ノーズパッド１の中央が支持体２としてのめがねフレーム４に揺動可能に取り付けられる。ただし、取付金具５を設ける位置即ちノーズパッド１の取付位置はレンズ枠部４ａ，４ａに限られるものではなく、例えば、ブリッジ４ｃ等に設けても良い。
【００１６】
各ノーズパッド１は、支持体２によって鼻に装着する状態に支持されている。本実施形態の支持体２はめがねフレーム４であり、めがねを掛けたときに鼻筋の両脇の傾斜部分に載るように左右のノーズパッド１が支持されている。即ち、通常のめがねフレームのノーズパッドと同様にノーズパッド１が支持される。
【００１７】
本実施形態では、ノーズパッド１内に板状磁石３が埋め込まれている。ただし、必ずしも板状磁石３を完全に埋め込む必要はなく、板状磁石３の一部例えば鼻側の面３ａを露出させても良い。要するに、板状磁石３が発生させる磁場が鼻に届くように板状磁石３を配置できれば良い。ノーズパッド１は樹脂成型品であり、型内に板状磁石３を挿入した状態で材料となる樹脂を流し込むことで板状磁石３を埋め込んだノーズパッド１が形成される。本実施形態ではノーズパッド１の本体１ｂを透明な樹脂で形成し、これに取付凸部１ａの基部と板状磁石３を埋め込んでいる。ただし、ノーズパッド１の本体１ｂを形成する樹脂は必ずしも透明のものに限るものではない。
【００１８】
板状磁石３を図３（Ａ）〜（Ｃ）に示す。鼻側の面３ａは凸となる曲面となっている。本実施形態では、曲率半径が３０ｍｍの曲面となっている。ただし、曲率半径はこれに限られない。鼻側の面３ａを凸となる曲面にすることでめがね装着者へと向かう磁力線の方向を広げることができ、鼻を貫通する磁場を広範囲に形成することができる。一方、反対側の面３ｂは平面になっている。また、鼻側の面３ａはＮ極に着磁され、反対側の面３ｂはＳ極に着磁されている。鼻側の面３ａ：Ｎ極，反対側の面３ｂ：Ｓ極の組み合わせにすることで、まず最初に鼻を貫通してから外方へと向かう磁力線を形成することができる。板状磁石３は永久磁石である。
【００１９】
板状磁石３の磁束密度は、人体に適度の影響を与えることができる値になっている。例えば、ノーズパッド１，１をめがねフレーム４に組み付けた状態で、ノーズパッド１，１の鼻側の表面位置で例えば１３００〜１９００ガウス程度、左右のノーズパッド１，１の間の中央位置で例えば５００〜８００ガウス程度である。これらの範囲の値であれば、磁場が人体に与える影響が適度なものとなる。ここで、ノーズパッド１，１の鼻側の表面位置で例えば１５００ガウス程度、左右のノーズパッド１，１の間の中央位置で例えば６００ガウス程度がより好ましい。この場合には、人体に最も適度の影響を与えることができる。
【００２０】
使用者がめがねを掛けると、鼻及びその周囲に磁場が形成される。左右のノーズパッド１の板状磁石３の鼻側の面３ａはＮ極、反対側の面３ｂはＳ極になっているので、各ノーズパッド１の鼻側の面３ａ→鼻→鼻の外→各ノーズパッド１の反対側の面３ｂへと向かう磁力線が形成される。ここで、Ｎ極に近い側の磁場はＳ極に近い側の磁場よりも血流を良くして鼻孔内を乾燥させる効果があることが分かっている。本発明では、Ｎ極に近い側の磁場を鼻内に形成するので、単に磁力の効果で血流を良くするだけではなく、最も効果的に血流を良くして鼻孔内を乾燥させることができる。
【００２１】
しかも、各ノーズパッド１の板状磁石３の鼻側の面３ａは凸となる曲面となっているので、鼻内へと向かう磁力線の方向が広がり、鼻内のより広い範囲に磁場を形成することができる。そのため、上述の磁場の効果をより広い範囲で受けることができる。
【００２２】
また、Ｓ極に近い側の磁場は、プラスの電荷を有する花粉を反発させる効果があることも分かっている。本発明では、Ｓ極に近い側の磁場を鼻の周囲に形成するので、謂わば花粉に対するバリアを鼻の周囲に形成し、鼻孔内への花粉の進入を抑制することができる。
【００２３】
つまり、鼻の血流を良くして鼻孔内の粘膜を改善する効果と、鼻の周囲に花粉に対するバリアを形成する効果とを有しており、これらの効果が相俟って花粉症対策に適している。
【００２４】
また、めがねを利用して磁場形成器具を構成するので、めがね使用者はわざわざ磁場形成器具を別に用意する必要がなくなり、便利である。
【００２５】
本実施形態のめがねフレーム４は、通常のめがねフレームのノーズパッドを板状磁石３を設けたノーズパッド１にしたものと考えることができる。ここで、最初からノーズパッドを板状磁石３を設けたノーズパッド１にしても良いし、通常のめがねフレームのノーズパッドを後から板状磁石３を設けたノーズパッド１に交換しても良い。
【００２６】
図４に、本発明の鼻装着用の磁場形成器具の第２の実施形態を示す。なお、上述の部材と同一の部材には同一の符号を付し、それらの詳細な説明を省略する。本実施形態では、鼻装着用の磁場形成器具を単体で鼻に装着するノーズパッドユニットとして構成している。
【００２７】
支持体２は弾性を有するフレーム（以下、フレーム２という）であり、例えばＣ字形状に湾曲されている。ただし、フレーム２の形状はＣ字形状に限られるものではなく、左右のノーズパッド１，１で鼻筋の両脇を軽く挟み付けて鼻に装着させることができる形状であれば特に制限されない。フレーム２は、例えばポリアミド等の樹脂、金属、プラスチックの等の弾性体によって形成されている。フレーム２の両端には取付金具５がそれぞれ設けられている。
【００２８】
各ノーズパッド１は、支持体２によって鼻に装着する状態に支持されている。本実施形態のノーズパッドユニット（磁場形成器具）は鼻筋の両脇を左右のノーズパッド１で軽く挟み付けることで脱落しないように装着するものであり、鼻筋の両脇の傾斜部分を軽く挟み付けることができるように左右のノーズパッド１が例えばハ字状に支持されている。本実施形態では、ノーズパッド１の本体１ｂを例えばシリコーン樹脂製にしている。また、左右のノーズパッド１の並びをハ字状に角度を付けるのではなく、角度を付けずにほぼ並行に並べるようにしても良い。
【００２９】
フレーム２の自由形状では、左右のノーズパッド１，１の間隔は鼻のノーズパッド１，１が押し当てられる位置の間隔よりも若干狭くなっている。したがって、フレーム２を弾性変形させながら左右のノーズパッド１，１の間隔を広げて鼻に装着する。適切な位置に左右のノーズパッド１，１を当てた後、手を離すことで左右のノーズパッド１，１の間隔が狭まり、ノーズパッドユニットが装着される。ノーズパッドユニットを取り外す場合には、フレーム２を弾性変形させながら左右のノーズパッド１，１の間隔を広げることで、簡単に取り外すことができる。
【００３０】
ノーズパッドユニットを装着した場合の磁場による効果は、上述のめがねフレーム４に組み込んだ場合と同様である。
【００３１】
磁場形成器具をノーズパッドユニットとした場合には、例えば就寝時等のめがねを掛けることができない場合にも装着することができるので、使い勝手に優れている。また、めがねを必要としない人も磁場形成器具の使用が可能になる。
【００３２】
なお、上述の形態は本発明の好適な形態の一例ではあるがこれに限定されるものではなく本発明の要旨を逸脱しない範囲において種々変形実施可能である。
【００３３】
例えば、図５に示すように、各ノーズパッド１の取付凸部１ａを棒状にして雄ねじ１ｃを設けると共に、フレーム２の両端部にねじ孔２ａを設け、雄ねじ１ｃをねじ孔２ａにねじ込むことで各ノーズパッド１をフレーム２に取り付けるようにしても良い。この場合には、ノーズパッド１の着脱を容易に行うことができる。
【００３４】
また、図６に示すように、各ノーズパッド１の取付凸部１ａの先端に大径部１ｄを設けると共に、フレーム２の両端部にＣ字形状のクリップ部２ｂを設け、取付凸部１ａをクリップ部２ｂに嵌め込むことで各ノーズパッド１をフレーム２に取り付けるようにしても良い。この場合にも、ノーズパッド１の取り付け・取り外しを簡単に行うことができ、ノーズパッド１の着脱を容易に行うことができる。
【符号の説明】
【００３５】
１  ノーズパッド
２  支持体（フレーム）
３  板状磁石
３ａ  板状磁石の鼻側の面
４  めがねフレーム
【図１】
2013041220.tif 000003
【図２】
2013041220.tif 000004
【図３】
2013041220.tif 000005
【図４】
2013041220.tif 000006
【図５】
2013041220.tif 000007
【図６】
2013041220.tif 000008